(57)【特許請求の範囲】
【請求項１】
発熱体を配管した四角形の床暖房素子を４枚合わせて小エリア素子を形成すると共に、前記小エリア素子内の床暖房素子に夫々熱媒を分配する小ヘッダーを設けたこと、
前記小エリア素子を複数枚合わせて中エリア素子を形成すると共に、この中エリア素子を形成する各小エリア素子の各小ヘッダーに熱媒を分配する中ヘッダーを設けたこと、
前記中ヘッダーに熱媒を分配する大ヘッダーを設けたこと、
前記小ヘッダー及び中ヘッダ及び大ヘッダーには夫々制御バルブを取り付けて熱媒の分配先を任意に制御できるように構成したこと、
を特徴とする床暖房装置。
【請求項２】
床暖房素子は、下面に高さ調整用の支持脚を取り付けたベースボードに発熱体を組み込んだ構成から成ることを特徴とする請求項１記載の床暖房装置。
【請求項３】
床暖房素子は、架橋ポリエチレン製マット内に架橋低密度ポリエチレン製の温水パイプを組み込んだ構成の温水マットであるところの請求項１記載の床暖房装置。
【発明の詳細な説明】
【０００１】
【発明の属する技術分野】
本発明は、床暖房エリアを任意に変更することができると共に、省資源に寄与できる床暖房装置に関する。
【０００２】
【従来の技術】
床暖房を行う際には、図９に示すように、熱源機１と暖房用発熱体２間を往路と復路から成る温水配管３で結び、通常は１系統の温水配管３には最大２枚まで暖房用発熱体２を接続することができるようになっている。また、使用実態により系統数が複数になる場合には、熱源機１の近傍に分岐用ヘッダー４を設置している。
【０００３】
【発明が解決しようとする課題】
しかし、前記暖房用発熱体２は、通常一室ごとに設置されていて、サイズの大きいものが多いため、以下の弊害が生じている。
（１）部分的に暖房を行ったり、停止したい場合に対応できない。
（２）配管相当長が長くなるため、圧力損失が大きく、同時使用数が熱源機１の温水搬送ポンプに大きく左右される。
【０００４】
【課題を解決するための手段】
本発明は、床暖房装置において、前記（１）及び（２）に記述した課題を解決するのが目的であって、その構成は次のとおりである。
【０００５】
１．発熱体を配管した四角形の床暖房素子を４枚合わせて小エリア素子を形成すると共に、前記小エリア素子内の床暖房素子に夫々熱媒を分配する小ヘッダーを設けたこと、
前記小エリア素子を複数枚合わせて中エリア素子を形成すると共に、この中エリア素子を形成する各小エリア素子の各小ヘッダーに熱媒を分配する中ヘッダーを設けたこと、
前記中ヘッダーに熱媒を分配する大ヘッダーを設けたこと、
前記小ヘッダー及び中ヘッダ及び大ヘッダーには夫々制御バルブを取り付けて熱媒の分配先を任意に制御できるように構成したこと、
を特徴とする床暖房装置。
【０００６】
２．床暖房素子は、下面に高さ調整用の支持脚を取り付けたベースボードに発熱体を組み込んだ構成から成ることを特徴とする前記１記載の床暖房装置。
【０００７】
３．床暖房素子は、架橋ポリエチレン製マット内に架橋低密度ポリエチレン製の温水パイプを組み込んだ構成の温水マットであるところの前記１記載の床暖房装置。
【０００８】
【作用】
前記床暖房装置においては、熱源機で発生した熱媒は、先ず大ヘッダーで分岐され、次に配管を経由して中ヘッダーに至り、更にここで分岐されて小ヘッダーに至る。この小ヘッダーでは４枚の床暖房素子に夫々分配される。
熱媒を制御する場合には、大ヘッダーで中ヘッダーに至る接続口を遮断すると、この遮断された中ヘッダーに結ばれた小ヘッダーには熱媒が供給されなくなる。又、中ヘッダーで小ヘッダーに至る接続口を遮断すると、この中ヘッダーに結ばれた小ヘッダーへは熱媒が供給されなくなる。更に、小ヘッダーで床暖房素子に至る接続口を遮断すると、この床暖房素子へは熱媒が供給されなくなる。この選択により、使用（発熱）する床暖房素子又は小エリア素子又は中エリア素子を任意に決定して効率的な床暖房を行うことができる。
【０００９】
【発明の実施の形態】
図１は小エリア素子の説明図であって、この小エリア素子１０は、発熱体（温水パイプ）１２を組み込んで成る床暖房素子１１を４枚組み合せた構造から成り、中央に小ヘッダースペース１３を形成し、この小ヘッダースペース１３内に図３に示すように小ヘッダー１４を位置させて各床暖房素子１１の発熱体１２を接続口１４′に結び、ここで熱媒を分配するようになっている。なお、小ヘッダー１４の接続口１４′にはバルブが組み込まれていて、各床暖房素子１１に至る熱媒を制御することができる。
【００１０】
図２は、前記小エリア素子１０を６枚（６組）合わせて形成した中エリア素子２０を示し、この中エリア素子２０は、中央に中ヘッダースペース２１を形成し、この中ヘッダースペース２１内に図４に示すように中ヘッダー２２を位置させて小ヘッダー１４に至る熱媒循環パイプ１５を結び、小エリア素子１０側に熱媒を分配するようになっている。なお、中ヘッダー２２の接続口２２′にはバルブが組み込まれていて、小エリア素子１０に至る熱媒を制御することができる。図４は、小エリア素子１０の各床暖房素子１１に熱媒を分配する中ヘッダーの説明図であって、例えば、小エリア素子１０のうち、２枚だけに熱媒を分配する場合には、分岐口２２′のうち、該当する２つのバルブが遮断され、他の２つだけが利用される。
【００１１】
図５は熱源機４０の下部に取り付けられた大ヘッダーであって、この大ヘッダー３０には中ヘッダー２２に至る接続口３０′が形成され、中エリア素子２０に至る熱媒は、この大ヘッダー３０で分配されて熱媒循環パイプ２３を経由して中エリア素子２０の中ヘッダー２２に至る。なお、この大ヘッダー３０の接続口３０′にも夫々遮断用のバルブが取り付けられている。
【００１２】
図６は熱源機４０→大ヘッダー３０→中ヘッダー２２→小ヘッダー１４→発熱体１２に至る熱媒分配の流れ図である。
図７は床暖房素子１１の一例を示すもので、この床暖房素子１１は、二重床を構成するためのベースボード１１ａ内に発熱体１２を組み込んだ構成であって、ベースボード１１ａの高さは支持脚１１ｂの高さを調整することにより調整可能である。このベースボード１１ａは建物の床スラブの上に設置され、ベースボード１１ａの上に内装床材、例えば、フローリング床が張られる。
【００１３】
図８は床暖房素子１１の他の例を示すもので、架橋ポリエチレン製のマット１１ｃ内に架橋低密度ポリエチレン製の温水パイプ１１ｄを組み込んだ温水マットの一部である。この温水マットは通常は、根太で支持されている下地合板の上に敷設され、この上にフローリング床等が張られる。
【００１４】
上記実施の態様によると、小ヘッダー１４で各床暖房素子１１に至る熱媒の分配を制御し、中ヘッダー２２で各小エリア素子１０に至る熱媒の分配を制御し、大ヘッダー３０で各中エリア素子２０に至る熱媒の分配を制御できる。この結果、例えば図２において間取りの変更があり、間仕切り６０が床暖房装置を２分するようになった場合には、右側２枚の小エリア素子１０に至る熱媒の分配を中ヘッダー２２で遮断することができる。或いは、図２において、左上方隅の小エリア素子１０内の床暖房素子１１を止めたい場合には、小ヘッダー１４でこの該当する床暖房素子１１に至る熱媒を遮断することができる。
【００１５】
【発明の効果】
本発明の効果は次のとおりである。
（１）全体のエリア数に応じて各ヘッダー間を連結する温水搬送用配管の配管径が選択でき、また、各ヘッダーを用いて分配することにより、従来と比較して、圧力損失を減少させることが可能である。
（２）従来例と比較して、暖房用発熱体に接続する温水搬送用配管の系統数を大幅に減少させることが出来る。よって、使用する配管の量が減少する。
（３）部屋の間取り変更や模様替えに応じて、床暖房素子又は小エリア素子又は中エリア素子単位で暖房部位を変更する事が可能になる。よって、無駄な熱の放出がなくなり、この分省エネ化が可能である。
【図面の簡単な説明】
【図１】床暖房素子と小エリア素子の説明図。
【図２】中エリア素子の説明図。
【図３】小ヘッダーの説明図。
【図４】中ヘッダーの説明図。
【図５】大ヘッダーの説明図。
【図６】熱媒分配流れ図の説明図。
【図７】二重床ユニット（床暖房素子）の説明図。
【図８】温水マット（床暖房素子）の説明図。
【図９】従来の床暖房装置の説明図。
【符号の説明】
１０  小エリア素子
１１  床暖房素子
１２  発熱体
１３  小ヘッダースペース
１４  小ヘッダー
１５  熱媒循環パイプ
２０  中エリア素子
２１  中ヘッダースペース
２２  中ヘッダー
２３  熱媒循環パイプ
３０  大ヘッダー
４０  熱源機
【図１】
0003599258.tif 000002
【図２】
0003599258.tif 000003
【図３】
0003599258.tif 000004
【図４】
0003599258.tif 000005
【図５】
0003599258.tif 000006
【図６】
0003599258.tif 000007
【図７】
0003599258.tif 000008
【図８】
0003599258.tif 000009
【図９】
0003599258.tif 000010